(57)【要約】【課題】本発明は、換気装置の換気ファンを用いてエアフィルタ清掃機構が捕集した塵埃を屋外へ排出でき、塵埃が換気ファンの翼間に付着し目詰りを生じることなく円滑に導かれ、換気効率と塵埃排出効率の向上化を得られる空気調和機の室内機を提供する。【解決手段】エアフィルタ清掃機構Ｓを備え、換気装置１１は吹出し流路４２と両側面に第１、第２の吸込み部４５，４５が開口するファンケーシング４０と換気ファン４１からなり、案内ホース３８の一端部を第２の吸込み部に、他端部をエアフィルタ清掃機構に接続し、換気ファンは回転駆動される中間仕切り板４９と、この中間仕切り板の両側面に多数枚のブレードが互いに間隙を存して円形状に設けられる羽根車である第１、第２の多翼遠心ファン５０，５１からなり、第２の吸込み部と対向する第２の多翼遠心ファンにおけるブレードｄ相互の間隔は、第１の吸込み部と対向する第１の多翼遠心ファンにおけるブレードｄ相互の間隔よりも大に形成される。【選択図】    図３
2008157507.tif 000002
【特許請求の範囲】
【請求項１】
吸込み口と吹出し口との間の通風路内に、室内空気中に含まれる塵埃を捕捉するエアフィルタが配置される室内機本体と、
上記エアフィルタの表面に付着した塵埃を除去するエアフィルタ清掃機構と、
上記吸込み口から室内機本体内に吸込んだ室内空気を屋外へ排気する、もしくは外気を室内機本体内に吸込み上記吹出し口を介して室内へ吸気する換気装置とを具備した空気調和機の室内機において、
上記換気装置は、周端部に吹出し流路を備えるとともに、両側面に吸込み部が開口するスクロール形状のファンケーシングおよび、このファンケーシング内に収容され回転駆動される換気ファンを備え、
上記ファンケーシングにおける一方の吸込み部に一端部が接続され、上記エアフィルタ清掃機構に他端部が接続される案内ホースを備え、
上記換気ファンは、両側面が上記両吸込み部に対向して設けられ回転駆動される中間仕切り板と、この中間仕切り板の両側面側に多数枚のブレードが互いに間隙を存して円形状に設けられる一対の多翼遠心ファンからなり、
上記案内ホース接続側の吸込み部と対向する多翼遠心ファンにおけるブレード相互の間隔は、案内ホースが接続されない側の吸込み部と対向する多翼遠心ファンにおけるブレード相互の間隔よりも大に形成される
ことを特徴とする空気調和機の室内機。
【請求項２】
上記換気装置のファンケーシングに形成される上記吹出し流路は、多翼遠心ファンを構成する上記中間仕切り板と対向する部位に設けられる流路分離板によって分離されることを特徴とする請求項１記載の空気調和機の室内機。
【請求項３】
上記換気ファンにおける案内ホース接続側の吸込み部と案内ホースとの間に、開口半径が吸込み部開口半径の１．１倍以上で、軸方向長さが吸込み部から中間仕切り板までの距離の１／２以上の内部空間を備える異物回収部を介設したことを特徴とする請求項１および請求項２のいずれかに記載の空気調和機の室内機。
【発明の詳細な説明】
【技術分野】
【０００１】
本発明は、室内の空気調和作用をなすとともに、室内を換気する機能と、エアフィルタから塵埃を自動除去し、かつ除去した塵埃を屋外へ排出する機能を備えた空気調和機の室内機に関する。
【背景技術】
【０００２】
近年、室内の断熱性と気密性の向上化が図られ、さらに建築基準法の改正にともない換気の重要性がより高まっている。そのため、空気調和機の室内機に換気装置を内蔵し、換気機能を加えた構造のものが主流となりつつある。上記換気装置は、接続される吸排気ダクトの高い圧損に対して風量を確保するよう、スクロール構造のファンケーシングおよび、このファンケーシング内に遠心ファンを収容したものが多用される。
【０００３】
さらに、空気調和機は冷暖房運転時の省エネ性向上が図られ、処理する風量が増加している。それにともない、熱交換器や室内送風機に塵埃が付着するのを防止するエアフィルタは、比較的短期間で捕捉した塵埃の付着量が大となる。エアフィルタに付着する塵埃量が一定範囲を超えると目詰りを生じ、圧力損失となって吹出し風量が減少し、省エネ性悪化に繋がる。
【０００４】
定期的にフィルタを室内機本体から取外し、付着する塵埃を除去し清掃することで不利条件が簡単に解消できるものの、一般的な室内機は天井に近い高所に壁掛けされているため、ユーザが脱着し難い状況にある。そこで、室内機にフィルタの自動清掃機能を備える、たとえば［特許文献１］に記載されるような提案がなされている。
【０００５】
【特許文献１】特開２００４−２７８９２３号公報
【発明の開示】
【発明が解決しようとする課題】
【０００６】
上記フィルタから捕集された塵埃は、［特許文献１］に記載のように、空気調和機に配置した換気用と兼用した送風機を用いた吸排気装置により、屋外へ自動排出するようにしている。したがって、吸排気装置のファンは常時、塵埃にさらされ、静電気の影響で塵埃が付着し易い状態になる。
【０００７】
特に、換気ファンとして多用される遠心ファンは、換気時の風量確保を目的にしているため、翼枚数が極めて多い多翼ファンが使用される。このような多翼ファンで塵埃の排出運転を行なうと、翼間が狭いので塵埃が目詰りし易く、本来の換気機能が低下し、これにともない塵埃排出用としての機能も低下する要因となってしまう。
【０００８】
本発明は上記事情にもとづきなされたものであり、その目的とするところは、換気装置およびエアフィルタ清掃機構を備え、換気装置を構成する換気ファンでエアフィルタ清掃機構が捕集した塵埃を屋外へ排出し、しかも塵埃が換気ファンの翼間に付着し目詰りを生じることなく円滑に導かれるようにして、換気効率および塵埃排出効率の向上化を得られる空気調和機の室内機を提供しようとするものである。
【課題を解決するための手段】
【０００９】
上記目的を満足するため本発明の空気調和機の室内機は、室内機本体に吸込み口および吹出し口を備え、エアフィルタを吸込み口と吹出し口との間の通風路内に配置して室内空気中に含まれる塵埃を捕捉し、エアフィルタ清掃機構を備えてエアフィルタ表面に付着した塵埃を除去し、換気装置を備えて室内を換気でき、  
上記換気装置は、周端部に吹出し流路、両側面に吸込み部が開口するスクロール形状のファンケーシングと、このファンケーシング内に換気ファンを収容してなり、案内ホースの一端部を一方の吸込み部に、他端部をエアフィルタ清掃機構に接続し、  
上記換気ファンは、両側面が両吸込み部に対向して設けられ回転駆動される中間仕切り板と、この中間仕切り板の両側面側に多数枚のブレードが互いに間隙を存して円形状に設けられる一対の多翼遠心ファンからなり、  
案内ホース接続側の吸込み部と対向する多翼遠心ファンにおけるブレード相互の間隔は、案内ホースが接続されない側の吸込み部と対向する多翼遠心ファンにおけるブレード相互の間隔よりも大に形成される。
【発明の効果】
【００１０】
本発明によれば、換気ファンでエアフィルタ清掃機構が捕集した塵埃を屋外へ排出し、かつ換気ファンの翼間における塵埃による目詰りを防止し、換気効率と塵埃排出効率の向上化を得られるという効果を奏する。
【発明を実施するための最良の形態】
【００１１】
以下、図面を参照しながら、本発明の実施の形態について詳細に説明する。  
図１は空気調和機の室内機に係る概略の側断面図、図２は前面パネル２を外した状態での室内機本体１の正面図である。（なお、図面上の煩雑さを避けるため、説明中に符号を付していない部品は図示していない。また、図示しても符号を付していない。以下同じ）
室内機本体１は、前側筐体を構成する前面パネル２と、後板筐体３とから構成され、上下方向に対して幅方向に横長状をなす。室内機本体１の前面側一部に前面吸込み口４が開口され、前面吸込み口４に対向する前面パネル２には開閉駆動機構に支持される可動パネル２Ａが嵌め込まれる。
【００１２】
運転停止の状態では、上記可動パネル２Ａは前面パネル２表面に接合して同一面となり前面吸込み口４を閉成する。運転時には、手前側に突出変位して室内と連通する隙間を生じ、前面吸込み口４が室内に開放するよう制御される。室内機本体１の上部には、枠状の桟が嵌め込まれた上面吸込み口５が設けられる。
【００１３】
上記室内機本体１の前面下部に吹出し口６が開口され、２枚の吹出しルーバー７ａ，７ｂが並行して設けられる。各吹出しルーバー７ａ，７ｂは、それぞれの回動姿勢によって上記吹出し口６を開閉し、運転条件に応じて熱交換空気の吹出し方向を設定できるようになっている。
【００１４】
室内機本体１内には、前側熱交換器部８Ａと後側熱交換器部８Ｂとで略逆Ｖ字状に形成される熱交換器８が配置されるとともに、この熱交換器８の一側部に室内機本体１内に収容される全ての電気部品を制御する制御部を備えた電気部品箱９が並設される。
【００１５】
上記熱交換器８の前後側熱交換器部８Ａ，８Ｂ相互間に室内送風機１０が配置される。室内送風機１０は、一側端に配置されるファンモータと、このファンモータの回転軸に一方の支軸が機械的に連結され他方の支軸は軸受け具に支持される横流ファンとから構成される。室内送風機１０と隣接する側部には、後述する換気装置１１が設けられる。
【００１６】
上記前側熱交換器部８Ａの下端部は前ドレンパン１２ａ上に載り、上記後側熱交換器部８Ｂの下端部は後ドレンパン１２ｂ上に載る。前、後ドレンパン１２ａ，１２ｂは、各熱交換器部８Ａ，８Ｂから滴下するドレン水を受け、図示しない排水ホースを介して外部に排水できるようになっている。
【００１７】
前後ドレンパン１２ａ，１２ｂの一部で、室内送風機１０の横流ファンに対するノーズを構成している。また、ノーズとなる前後ドレンパン１２ａ，１２ｂの側壁部分と吹出し口６の各辺部との間は、隔壁部材１４によって連結される。隔壁部材１４で囲まれる空間は、上記ノーズと吹出し口６とを連通する吹出し通風路１５である。
【００１８】
一方、前面パネル２と熱交換器８との間に亘り、取付け具を介して前面パネル２に取付けられる枠体組立１６が介在される。枠体組立１６の前面部には、左右に分離された前部エアフィルタ１７と、二次エアフィルタであるところの空気清浄ユニット１８が前後して取付けられる。上記枠体組立１６の上面には、左右に分離された上部エアフィルタ２０が取付けられる。
【００１９】
前部エアフィルタ１７上端と上部エアフィルタ２０前端との間に亘って、エアフィルタ清掃機構Ｓが設けられる。このエアフィルタ清掃機構Ｓは、各エアフィルタ１７，２０の幅方向長さと同一の幅方向長さで、かつ前後方向に所定厚みを有し、前面パネル２の前面部と上面部とが交差するデッドスペース内に配置される。
【００２０】
前部エアフィルタ１７には、前部エアフィルタ移動機構５２が連結される。この移動機構５２は、前部エアフィルタ１７を図の位置からエアフィルタ清掃機構Ｓを通過して上部エアフィルタ２０の上面部位に移動させ、さらにエアフィルタ清掃機構Ｓを通過して再び元の位置に戻すよう移動させる。
【００２１】
上部エアフィルタ２０には上部エアフィルタ移動機構５３が連結される。この移動機構５３は、上部エアフィルタ２０を図の位置からエアフィルタ清掃機構Ｓを通過して前部エアフィルタ１７の前面部位に移動させ、さらにエアフィルタ清掃機構Ｓを通過して再び元の位置に戻すよう移動させる。
【００２２】
上記空気清浄ユニット１８は、左右一対の電気集塵機２２と、集塵機電源部２３とから構成される。各電気集塵機２２は、流通する空気中の塵埃に電荷を与える荷電側電極と、電荷を与えられた塵埃を捕捉する集塵側電極を備えている。各電極表面には、臭いの成分を吸着する脱臭剤が塗布され、電気集塵機として集塵機能と脱臭機能を併せ有する。
【００２３】
上記エアフィルタ清掃機構Ｓは、前，上部エアフィルタ１７，２０に付着する塵埃を除去する回転ブラシ３０を収容するとともに、回転ブラシ３０が除去した塵埃を収集する塵埃受け通路３１を備えたダストボックス３２と、このダストボックス３２下面に設けられ回転ブラシ３０の一部が露出する開口部３３と、この開口部３３を開閉自在なシール部材３４とから構成される。
【００２４】
上記ダストボックス３２は、帯電防止樹脂材を用いて成形され、抗菌処理が施されている。そのため、塵埃の付着やカビの発生を防止して、長期に亘って清潔な状態を維持できる。同様に、回転ブラシ３０についても抗菌処理され、塵埃の付着やカビの発生を防止して、長期に亘って清潔な状態を維持できる。
【００２５】
さらに、ダストボックス３２内部において塵埃の移動がスムーズとなるよう、塵埃接触部分に対して滑らかな表面処理を施している。特に塵埃受け通路３１においては、実際の塵埃除去運転において圧損を小さく抑え、風の流れがスムーズになるよう、稜線は風上側にＲ２ｍｍ以上の曲面に形成される。
【００２６】
上記シール部材３４は、開口部３３の下方部位に対向して配置されていて、合成ゴム等の柔軟弾性材からなる。シール部材３４は換気装置１１の作動時のみ開口部３３を閉成し、空調運転時およびエアフィルタ清掃機構Ｓの作動時には開口部３３を開放するよう、リフト機構Ｗに支持される。
【００２７】
ダストボックス３２内における塵埃受け通路３１と回転ブラシ３０の収容部位との間には、掻き落し用突部３５が突設される。この掻き落し用突部３５は常時、回転ブラシ３０の毛先内に、回転ブラシ３０の軸方向に亘って挿入し、回転ブラシ３０の回転にともなって毛先が摺接する位置にある。
【００２８】
図３は第１の実施の形態での換気装置１１の一部断面図であり、模式的に示すエアフィルタ清掃機構Ｓとの関係構成を説明する図でもある。  
エアフィルタ清掃機構Ｓのダストボックス３２は、その一側部に吸気口３７が設けられ塵埃受け通路３１と連通する。吸気口３７が設けられる側部とは反対側の側部には、案内ホース３８の一端部が接続されていて、この案内ホース３８は塵埃受け通路３１と連通する。上記案内ホース３８の他端部は、換気装置１１に接続されている。
【００２９】
換気装置１１における案内ホース３８の接続部には、風力ダンパを備えたダンパケースが設けられる。風力ダンパは一端がダンパケースに回動自在に支持され、他端は重力でダンパケース内に垂れ下り、ダンパケース内を閉成する。ダンパケース内に負圧がかかると風力ダンパは回動してダンパケース内を開放するが、ダンパケース内に正圧がかかるとストッパにより回動を阻止され、垂れ下ったままの状態となる。
【００３０】
以下、図３および図４（Ａ），（Ｂ）から、換気装置１１について詳細に説明する。  
図４（Ａ）は一方向から見た換気装置１１の模式的な正面図、図４（Ｂ）は他方向から見た換気装置１１の模式的な正面図である。（理解が容易になるよう、図４（Ａ）（Ｂ）においてファンケーシングの向きを同一に揃えている。）
上記換気装置１１は、周面に上記風力ダンパを備えたダンパケースが一体に突設されるファンケーシング４０と、このファンケーシング４０内部に収容される換気ファン４１とから構成される。
【００３１】
上記ファンケーシング４０は、周端部に口体からなる吹出し流路４２を備え、スクロール形状をなす。上記吹出し流路４２には吸排気ダクト４３が接続されていて、この吸排気ダクト４３は室外機に接続される冷媒配管等とともに、室内機本体１が取付けられる壁を貫通して屋外へ延出され、屋外にて開口される。
【００３２】
さらに、上記ファンケーシング４０の両側面に、吸込み部４４，４５が開口される。ここでは、図３に示すファンケーシング４０の左側部に開口する吸込み部４４を、「第１の吸込み部」と呼び、右側部に開口する吸込み部４５を、「第２の吸込み部」と呼ぶ。
【００３３】
上記第１の吸込み部４４には、ダンパ駆動機構に連結される開閉ダンパ４７が開閉自在に取付けられている。開閉ダンパ４７が第１の吸込み部４４を開放することにより、ファンケーシング４０内部と室内機本体１内部とが連通する。  
上記第２の吸込み部４５は、ファンケーシング４０側面に取付けられる蓋板４８によって閉成状態にある。この蓋板４８には、上記エアフィルタ清掃機構Ｓから延出される案内ホース３８の端部が接続する接続部ａが設けられる。したがって、第２の吸込み部４５は案内ホース３８を介してエアフィルタ清掃機構Ｓの塵埃受け通路３１と連通する。
【００３４】
上記換気装置１１における換気ファン４１は、上記ファンケーシング４０内を軸方向に沿って略二分し、両側面が上記第１の吸込み部４４と、第２の吸込み部４５に対向して収容される円板状の中間仕切り板４９と、この中間仕切り板４９の両側面に設けられる一対の羽根車である多翼遠心ファン５０，５１とから構成される。
【００３５】
上記中間仕切り板４９における第２の吸込み部４５と対向する側面部で、かつ軸芯部には駆動モータの回転軸と連結される支軸ｂが設けられる。この支軸ｂは蓋板４８を貫通して、軸受け部に枢支され、かつカップリングを介して上記駆動モータの回転軸に連結されている。
【００３６】
第１の吸込み部４４と対向する多翼遠心ファン５０を、「第１の多翼遠心ファン」と呼び、第２の吸込み部４５と対向する多翼遠心ファン５１を、「第２の多翼遠心ファン」と呼ぶ。図４（Ａ）は第１の吸込み部４４側から見た第１の多翼遠心ファン５０を模式的に示し、図４（Ｂ）は第２の吸込み部４５から見た第２の多翼遠心ファン５１を模式的に示している。
【００３７】
第１、第２の多翼遠心ファン５０，５１はともに、中間仕切り板４９の周端部に沿い多数枚のブレードｄの一端部が互いに間隙を存して円形状に設けられる。第１、第２の多翼遠心ファン５０，５１の形態については互いに同一であるが、それぞれの多翼遠心ファン５０，５１を構成するブレードｄの枚数は互いに相違している。
【００３８】
すなわち、案内ホース３８の接続側である第２の吸込み部４５と対向する第２の多翼遠心ファン５１でのブレードｄ相互の間隔は、案内ホース３８が接続されない側（開閉ダンパ４７取付け側）の第１の吸込み部４４と対向する第１の多翼遠心ファン５０でのブレードｄ相互の間隔よりも大に形成される。
【００３９】
各多翼遠心ファン５０，５１は同じ中間仕切り板４９の両側面に設けられるので、ファン直径は互いに同一である。したがって、第２の多翼遠心ファン５１を構成するブレードｄの合計枚数は、第１の多翼遠心ファン５０を構成するブレードｄの合計枚数よりも少ない。なお、第１の多翼遠心ファン５０を構成するブレードｄの枚数と相互間隔は、従来から用いられる換気ファンと同一である。
【００４０】
つぎに、このようにして構成される空気調和機の室内機における作用について説明する。  
使用者がリモコン（遠隔操作盤）の運転ボタンを押圧操作すると、室内送風機１０が駆動するとともに空気清浄ユニット１８が作用する。さらに、室内機と冷媒管を介して連通する室外機において圧縮機が駆動して、冷凍サイクル運転が開始される。
【００４１】
室内空気は前面吸込み口４および上面吸込み口５から室内機本体１内に導かれ、前部エアフィルタ１７および上部エアフィルタ２０を通過する。このとき、室内空気中に含まれる塵埃が各エアフィルタ１７，２０に捕捉される。前部エアフィルタ１７を流通した室内空気は空気清浄ユニット１８を構成する電気集塵機２２に導かれ、より微細な塵埃が電気的に集塵され、かつ脱臭される。
【００４２】
清浄化した室内空気は熱交換器８を流通し、ここに導かれる冷媒と熱交換作用が行われる。そのあと熱交換空気は吹出し通風路１５に沿って導かれ、吹出し口６から吹出しルーバー７ａ，７ｂに案内されて室内へ吹出され、効率のよい空調運転を継続する。
【００４３】
空調運転中にユーザがリモコン（遠隔操作盤）を操作して「換気モード」を選択すると、換気装置１１における換気ファン４１が駆動されるとともに、開閉ダンパ４７は第１の吸込み部４４を開放する。
【００４４】
前、上面吸込み口４，５から室内機本体１内に吸込まれた室内空気の一部は、換気ファン４１を構成する第１の多翼遠心ファン５０の作用によって第１の吸込み部４４からファンケーシング４０内に導かれ、さらに吸排気ダクト４３を介して屋外へ排気される。第１の多翼遠心ファン５０を構成するブレードｄの枚数と相互間隔は、従来から用いられる換気ファンと同一であるので、効率よく換気作用をなす。
【００４５】
ユーザがリモコンの「外気取入れモード」を選択すると、開閉ダンパ４７は第１の吸込み部４４を開放し、かつ換気ファン４１が逆転駆動する。外気は吸排気ダクト４３から換気装置１１を介して室内機本体１内に導入され、吹出し口６から室内へ吹出される。第１の多翼遠心ファン５０を構成するブレードｄの枚数と相互間隔は、従来から用いられる換気ファンと同一であるので、効率よく外気取入れ作用をなす。
【００４６】
上述の換気モードと外気取入れモード運転のいずれにしても、第１の多翼遠心ファン５０は換気専用のファンとして機能する。また、これらの運転モードは換気ファン４１を正逆回転駆動することで行われるので、第１の多翼遠心ファン５０とともに第２の多翼遠心ファン５１も同方向に回転して、同時に送風作用をなす。
【００４７】
換気モードの選択時には、第２の多翼遠心ファン５１はダンパケース内の風力ダンパに負圧をかける。風力ダンパはダンパケース内を開放し、案内ホース３８を介してエアフィルタ清掃機構Ｓを構成するダストボックス３２内の空気を吸引する。このとき、ダストボックス３２の開口部３３はシール部材３４で閉成されていて、吸気口３７からのみ空気がダストボックス３２に導かれる。
【００４８】
また、外気取入れモードの選択時には、第２の多翼遠心ファン５１は吸排気ダクト４３を介して外気を吸引し風力ダンパに正圧をかける。風力ダンパはストッパにより回動を阻止されてダンパケース内の閉塞状態に変化がない。したがって、案内ホース３８とエアフィルタ清掃機構Ｓへの外気導入はない。
【００４９】
ユーザがリモコンを操作して「エアフィルタ掃除モード」を選択する、もしくは所定の期間毎で空調運転の終了後、もしくは予め設定された時間、もしくは予め決められた時間帯などに、「エアフィルタ掃除モード」が自動的に行われる。
【００５０】
エアフィルタ掃除モードの選択にともない、前部エアフィルタ移動機構５２は前部エアフィルタ１７を移動させる。同時に、エアフィルタ清掃機構Ｓが作動し、リフト機構Ｗに連結されるシール部材３４はダストボックス３２の開口部３３を開放するとともに、回転ブラシ３０を回転駆動する。
【００５１】
前部エアフィルタ１７はダストボックス３２とシール部材３４との間に形成される隙間を挿通し、回転ブラシ３０は回転しながら前部エアフィルタ１７と摺接する。前部エアフィルタ１７に付着していた塵埃は、回転ブラシ３０によって円滑に、かつ確実に掻き落されて除去される。
【００５２】
塵埃が前部エアフィルタ１７から回転ブラシ３０に転移した直後に、回転ブラシ３０は掻き落し用突部３５に接触して通過するので、回転ブラシ３０に転移した塵埃は塵埃受け通路３１に掻き落され、ここに捕集される。  
このとき、換気装置１１の換気ファン４１は停止していて、風力ダンパはダンパケースを閉成し、案内ホース３８は塵埃受け通路３１に対して閉成状態にある。吸気口３７は開放しているが開口面積は僅かであり、ダストボックス３２は略密閉構造となっているので、掻き落とされた塵埃が塵埃受け通路３１から周辺へ飛散することはない。
【００５３】
前部エアフィルタ１７は回転ブラシ３０によって塵埃を除去されつつ、エアフィルタ清掃機構Ｓを通過し、一旦、上部エアフィルタ２０の上部側に案内されてから、再びエアフィルタ清掃機構Ｓを介して元の位置に戻るよう逆転制御される。前部エアフィルタ１７は２度に亘ってエアフィルタ清掃機構Ｓを通過し、全ての付着塵埃は完全除去される。
【００５４】
つぎに、上部エアフィルタ移動機構５３が作動し、上部エアフィルタ２０は移動を開始する。ダストボックス３２とシール部材３４との間に形成される隙間を挿通し、回転ブラシ３０は回転しながら上部エアフィルタ２０に摺接する。上部エアフィルタ２０に付着していた塵埃は回転ブラシ３０により掻き落される。回転ブラシ３０に転移した塵埃は、直ちに掻き落し用突部３５により塵埃受け通路３１に掻き落され捕集される。
【００５５】
上部エアフィルタ２０は回転ブラシ３０によって塵埃を除去されつつ、エアフィルタ清掃機構Ｓを通過し、一旦、前部エアフィルタ１７の上部側に案内されてから、再びエアフィルタ清掃機構Ｓを介して元の位置に戻るよう逆転制御される。上部エアフィルタ２０は２度に亘ってエアフィルタ清掃機構Ｓを通過し、全ての付着塵埃は完全除去される。
【００５６】
このようにして前、上部エアフィルタ１７，２０に付着する塵埃を除去するエアフィルタ自動清掃運転が完了した時点で、リフト機構Ｗが駆動してダストボックス３２の開口部３３を閉成する。そして、換気装置１１の換気ファン４１を駆動するとともに、開閉ダンパ４７により第１の吸込み部４４を閉成する。
【００５７】
第１の多翼遠心ファン５０と第２の多翼遠心ファン５１は同時に送風作用をなすが、第１の吸込み部４４は開閉ダンパ４７によって閉成されているから、第１の多翼遠心ファン５０による第１の吸込み部４４からの室内空気吸引はない。  
第２の多翼遠心ファン５１は回転にともなって風力ダンパに負圧をかけ、風力ダンパは回動してダンパケース内を開放する。負圧は案内ホース３８を介してエアフィルタ清掃機構Ｓを構成する塵埃受け通路３１に作用する。
【００５８】
ダストボックス３２内には、急激に吸気口３７から空気が導入されて、比較的圧力の高い空気が、ダストボックス３２内を案内ホース３８接続方向へ速い速度で導かれる。塵埃受け通路３１にある塵埃はその空気流の勢いに乗り、ダストボックス３２から案内ホース３８を介して換気装置１１に導かれ、さらに吸排気ダクト４３を介して屋外へ排出される。
【００５９】
このようにして、上記エアフィルタ清掃機構Ｓが各エアフィルタ１７，２０から除去し捕集した塵埃を、換気ファン４１を構成する第２の多翼遠心ファン５１が案内ホース３８を介して換気装置１１に導き、さらに吸排気ダクト４３から屋外へ排出する。第２の多翼遠心ファン５１は塵埃排出専用のファンとして機能することとなる。
【００６０】
上記第２の多翼遠心ファン５１は塵埃にさらされ、全てのブレードｄ表面に塵埃が接触する。しかしながら、第２の多翼遠心ファン５１は各ブレードｄ相互間の間隔を広く設定してあるので、ブレードｄ相互間に塵埃が詰まることがなく、塵埃排出作用において少しの影響もない。
【００６１】
図５は第２の実施の形態での換気装置１１Ａの一部断面図であり、模式的に示すエアフィルタ清掃機構Ｓとの関係構成を説明する図でもある。なお、同図において一部は図示を省略しており、また第１の実施の形態（図３）と同一の構成部品については同番号を付して新たな説明は省略する。
【００６２】
ここでは、換気装置１１Ａを構成するファンケーシング４０の吹出し流路４２に、流路分離板５５が設けられることが特徴である。すなわち、上記流路分離板５５は吹出し流路４２を流路方向に沿って２分しており、その取付け位置は上記換気ファン４１を構成する中間仕切り板４９と対向する部位である。
【００６３】
このことにより、第１の多翼遠心ファン５０が回転駆動して第１の吸込み部４４を介して導かれる室内空気は、吹出し流路４２を流路分離板５５に案内されて吸排気ダクト４３に導かれる。同時に、第２の多翼遠心ファン５１が回転駆動してエアフィルタ清掃機構Ｓから案内ホース３８と第２の吸込み部４５を介して導かれる塵埃は、吹出し流路４２を流路分離板５５に案内されて吸排気ダクト４３に導かれる。
【００６４】
上述したように、第１の多翼遠心ファン５０と第２の多翼遠心ファン５１とではブレードｄの枚数が相違しているので、そのブレードｄの枚数の差で生じる換気ファン４１の吹出し側において空気の流れにアンバランスが生じ易い。そのままの状態では、ファンケーシング４０内で複雑な二次流れが生じて、第２の多翼遠心ファン５１から流出する塵埃が第１の多翼遠心ファン５０側にまわって、ブレードｄに付着する虞れがある。
【００６５】
そこで、換気専用の第１の多翼遠心ファン５０と、塵埃排出専用の第２の多翼遠心ファン５１を仕切る中間仕切り板４９と対向する位置で、ファンケーシング４０内の吹出し流路４２を流路分離板５５で仕切ることで、第２の多翼遠心ファン５１から流出する塵埃が第１の多翼遠心ファン５０側にまわることを防止できる。
【００６６】
図６（Ａ）は第３の実施の形態での換気装置１１Ｂの概略の断面図、図６（Ｂ）は同実施の形態での換気装置１１Ｂの概略の正面図である。第２の実施の形態と同様、同図において一部は図示を省略しており、また第１の実施の形態（図３）と同一の構成部品については同番号を付して新たな説明を省略する。
【００６７】
ここでは、第１の吸込み部４４に上述の蓋板４８に代って、異物回収部６０を備えたことを特徴としている。上記異物回収部６０は、換気装置１１を構成するファンケーシング４０の案内ホース３８接続側に開口する第２の吸込み部４５と、案内ホース３８との間に介設される箱体からなる。
【００６８】
なお説明すると、異物回収部６０は第２の吸込み部４５と連通する開口部を有し、円形状の周面および案内ホース３８が接続される端面が壁面となっている。実験値から、異物回収部６０における開口部の開口半径Ｒ１は、第２の吸込み部４５の開口半径Ｒ２の１．１倍以上は必要である。そして、異物回収部６０の軸方向長さＤ１は、ファンケーシング４０における第２の吸込み部４５から中間仕切り板４９までの距離Ｄ２の１／２以上を必要とする内部空間を備えている。
【００６９】
さらに、異物回収部６０の円形周壁における下端部位置にダストカップ６１が着脱自在に取付けられる。このダストカップ６１は、上記前面パネル２を開放することで前面吸込み口４から手を差し入れれば、容易に着脱操作が可能なように構成される。
【００７０】
上記異物回収部６０を備えることにより、第２の多翼遠心ファン５１の回転によって生じる異物回収部６０内の流れが円滑になり、円形周壁に沿った流れが生じる。条件によっては、エアフィルタ清掃機構Ｓから案内ホース３８を介して異物回収部６０に異物が吸込まれることがある。上記異物は、塵埃よりもある程度大きく、かつ重量のある塊体を想定している。
【００７１】
ここで、異物回収部６０の開口半径Ｒ１を、第２の吸込み部４５の開口半径Ｒ２の１．１倍以上とし、異物回収部６０の軸方向長さＤ１を、第２の吸込み部４５から中間仕切り板までの距離Ｄ２の１／２以上に設定したから、異物は異物回収部６０に存在したまま第２の吸込み部４５からファンケーシング４０内部に吸込まれることはない。
【００７２】
異物回収部６０に存在する異物は、第２の多翼遠心ファン５１の運転停止時においてダストカップ６１内に落下する。そこで、所定期間毎にダストカップ６１を取外して収集される異物を廃棄すればよい。
【００７３】
なお、異物回収部６０を構成する素材に帯電防止剤を練り込む、もしくは異物回収部６０の内周面に帯電防止剤をコーティングすることにより、異物が異物回収部６０で円滑に移動し、かつ凝集し易くなる。
【００７４】
さらに、ダストカップ６１の代用として、異物回収部６０の円形周壁底部に段差部を着脱自在に設けて、ここに異物を溜めるようにしてもよい。あるいは、異物回収部６０の円形周壁底部に表面に粘着性のある粘着テープを着脱自在に取付けて、異物を粘着させるようにしてもよい。
【００７５】
さらにまた、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００７６】
【図１】本発明における実施の形態に係る、空気調和機室内機の概略縦断面図。
【図２】同実施の形態に係る、前面パネルを取外した室内機本体の正面図。
【図３】第１の実施の形態に係る、換気装置の一部断面図と、模式的に示すエアフィルタ清掃機構との関係構成を説明する図。
【図４】第１の実施の形態に係る、一面方向から見た換気装置の模式的な正面図と、他面方向から見た換気装置の模式的な正面図。
【図５】第２の実施の形態に係る、換気装置の一部断面図と、模式的に示すエアフィルタ清掃機構との関係構成を説明する図。
【図６】第３の実施の形態に係る、換気装置の概略の断面図と、換気装置の概略の正面図。
【符号の説明】
【００７７】
４…前面吸込み口、５…上面吸込み口、１４…吹出し通風路、１７…前部エアフィルタ、２０…上部エアフィルタ、１…室内機本体、Ｓ…エアフィルタ清掃機構、１１…換気装置、４２…吹出し流路、４０…ファンケーシング、４１…換気ファン、４４…第１の吸込み部、４５…第２の吸込み部、３８…案内ホース、４９…中間仕切り板、ｄ…ブレード、５０…第１の多翼遠心ファン、５１…第２の多翼遠心ファン、５５…流路分離板、６０…異物回収部。
【図１】
2008157507.tif 000003
【図２】
2008157507.tif 000004
【図３】
2008157507.tif 000005
【図４】
2008157507.tif 000006
【図５】
2008157507.tif 000007
【図６】
2008157507.tif 000008